(57)【要約】【課題】排気浄化触媒に流入する排気ガス中に供給された還元剤の液滴をできる限り排気浄化触媒への流入前に蒸発させる。【解決手段】内燃機関の排気ガスを浄化する内燃機関１の排気浄化装置４０は、内燃機関の排気通路内に設けられた排気浄化触媒４６と、排気浄化触媒よりも排気流れ方向上流側に設けられると共に電力を供給することにより少なくとも部分的に加熱されるハニカム体を備える電気加熱部材４５と、電気加熱部材に向かって液状の還元剤を供給する還元剤供給装置４４と、を備える。電気加熱部材は、ハニカム体を構成する隔壁の表面が凹凸形状を有するように構成される。隔壁の凹凸形状は、還元剤の液滴の少なくとも一部が電気加熱部材の加熱された壁面に衝突することによって分散されると共に、分散された液滴の少なくとも一部が凹部を画定する壁面に繰り返し衝突するように形成される。【選択図】図３
2020029777.tif 000002
【特許請求の範囲】
【請求項１】
内燃機関の排気ガスを浄化する、内燃機関の排気浄化装置であって、
前記内燃機関の排気通路内に設けられた排気浄化触媒と、
前記排気浄化触媒よりも排気流れ方向上流側に設けられると共に電力を供給することにより少なくとも部分的に加熱されるハニカム体を備える電気加熱部材と、
前記電気加熱部材に向かって液状の還元剤を供給する還元剤供給装置と、を備え、
前記電気加熱部材は、前記ハニカム体を構成する隔壁の表面が凹凸形状を有するように構成され、
前記隔壁の凹凸形状は、前記還元剤の液滴の少なくとも一部が前記電気加熱部材の加熱された壁面に衝突することによって分散されると共に、分散された液滴の少なくとも一部が凹部を画定する壁面に繰り返し衝突するように形成される、内燃機関の排気浄化装置。
【発明の詳細な説明】
【技術分野】
【０００１】
本発明は、内燃機関の排気浄化装置に関する。
【背景技術】
【０００２】
従来から、アンモニアを還元剤として排気ガス中のＮＯｘを浄化するＮＯｘ選択還元触媒と、ＮＯｘ選択還元触媒に液状の尿素を還元剤として供給する還元剤供給装置とを備えた、内燃機関の排気浄化装置が知られている（例えば、特許文献１）。特に、特許文献１に記載された排気浄化装置では、液状の尿素と排気ガスとを十分に混合させてＮＯｘの浄化効率を高めるために、還元剤供給装置とＮＯｘ選択還元触媒との間にミキサーを設けることが提案されている。
【０００３】
一方、燃料の液滴の蒸発を促進させるために、電気加熱部材の加熱面をライデンフロスト温度以上にまで上昇させると共に、加熱面の周辺に電界を発生させて加熱面に向かう方向の力を液滴に作用させることが提案されている（例えば、特許文献２）。これにより、加熱面をライデンフロスト温度以上に上昇させても液滴が加熱面から浮き上がることを抑制することができ、よって蒸発速度を高めることができるとされている。
【先行技術文献】
【特許文献】
【０００４】
【特許文献１】特開２０１８−０４４５２８号公報
【特許文献２】特開平８−２００１６８号公報
【発明の概要】
【発明が解決しようとする課題】
【０００５】
ＮＯｘ選択還元触媒等の排気浄化触媒の排気流れ方向上流側において排気ガス中に供給された尿素や燃料等の液状の還元剤を蒸発させて排気浄化触媒に供給するにあたり、電気加熱部材を用いることが考えられる。
【０００６】
しかしながら、電気加熱部材を用いる際に特許文献２に記載されたように加熱面の周辺に電界を発生させた場合、比較的大きな還元剤の液滴が加熱面上に接触すると、液滴が接触した領域では気化潜熱によって加熱面が局所的に冷却される。この結果、この領域では、液滴を一時的に蒸発させることができなくなり、液滴の適切な蒸発が妨げられる。
【０００７】
本発明は、上記課題に鑑みてなされたものであって、その目的は、排気浄化触媒に流入する排気ガス中に供給された還元剤の液滴をできる限り排気浄化触媒への流入前に蒸発させることができる内燃機関の排気浄化触媒を提供することにある。
【課題を解決するための手段】
【０００８】
本発明は、上記課題を解決するためになされたものであり、その要旨は以下のとおりである。
【０００９】
（１）内燃機関の排気ガスを浄化する、内燃機関の排気浄化装置であって、前記内燃機関の排気通路内に設けられた排気浄化触媒と、前記排気浄化触媒よりも排気流れ方向上流側に設けられると共に電力を供給することにより少なくとも部分的に加熱されるハニカム体を備える電気加熱部材と、前記電気加熱部材に向かって液状の還元剤を供給する還元剤供給装置と、を備え、前記電気加熱部材は、前記ハニカム体を構成する隔壁の表面が凹凸形状を有するように構成され、前記隔壁の凹凸形状は、前記還元剤の液滴の少なくとも一部が前記電気加熱部材の加熱された壁面に衝突することによって分散されると共に、分散された液滴の少なくとも一部が凹部を画定する壁面に繰り返し衝突するように形成される、内燃機関の排気浄化装置。
【発明の効果】
【００１０】
本発明によれば、排気浄化触媒に流入する排気ガス中に供給された還元剤の液滴をできる限り排気浄化触媒への流入前に蒸発させることができる内燃機関の排気浄化触媒が提供される。
【図面の簡単な説明】
【００１１】
【図１】図１は、内燃機関の概略的な構成図である。
【図２】図２は、第一実施形態に係る排気浄化装置のケーシング近傍を概略的に示す断面図である。
【図３】図３は、ハニカム体の隔壁の表面を概略的に示す断面図である。
【図４】図４は、凹部を画定する壁面に大きな液滴が衝突したときの様子を示す概念図である。
【図５】図５は、微粒化された液滴の凹部内での動きを示す概念図である。
【図６】図６は、凹部角度αを説明するための図である。
【図７】図７は、凹部角度と、尿素水溶液がハニカム体を通過するのにかかる時間との関係を示す図である。
【図８】図８は、第二実施形態に係る排気浄化装置のケーシング近傍を概略的に示す断面図である。
【図９】図９は、加熱用ハニカム体６０の平坦な隔壁６０ｂの表面に大きな液滴が衝突したときの様子を示す概念図である。
【図１０】図１０は、微粒化された液滴の凹部内での動きを示す概念図である。
【発明を実施するための形態】
【００１２】
以下、図面を参照して本発明の実施形態について詳細に説明する。なお、以下の説明では、同様な構成要素には同一の参照番号を付す。
【００１３】
＜第一実施形態＞
≪内燃機関全体の説明≫
まず、図１を参照して、第一実施形態に係る排気浄化装置が搭載された内燃機関１の構成について説明する。図１は、内燃機関１の概略的な構成図である。図１に示したように、内燃機関１は、機関本体１０、燃料供給装置２０、吸気系３０、排気浄化装置４０及び制御装置５０を備える。
【００１４】
機関本体１０は、複数の気筒１１が形成されたシリンダブロックと、吸気ポート及び排気ポートが形成されたシリンダヘッドと、クランクケースとを備える。各気筒１１内にはピストンが配置されると共に、各気筒１１は吸気ポート及び排気ポートに連通している。
【００１５】
燃料供給装置２０は、燃料噴射弁２１、デリバリパイプ２２、燃料供給管２３、燃料ポンプ２４及び燃料タンク２５を備える。燃料噴射弁２１は、各気筒１１内に燃料を直接噴射するようにシリンダヘッドに配置されている。燃料ポンプ２４によって圧送された燃料は、燃料供給管２３を介してデリバリパイプ２２に供給され、燃料噴射弁２１から各気筒１１内に噴射される。
【００１６】
吸気系３０は、吸気マニホルド３１、吸気管３２、エアクリーナ３３、過給機５のコンプレッサ３４、インタークーラ３５、及びスロットル弁３６を備える。各気筒１１の吸気ポートは、吸気マニホルド３１及び吸気管３２を介してエアクリーナ３３に連通している。吸気管３２内には、吸入空気を圧縮して吐出する過給機５のコンプレッサ３４と、コンプレッサ３４によって圧縮された空気を冷却するインタークーラ３５とが設けられている。スロットル弁３６は、スロットル弁駆動アクチュエータ３７によって開閉駆動される。
【００１７】
排気浄化装置４０は、排気マニホルド４１、排気管４２、過給機５のタービン４３、還元剤供給装置４４、並びに電気加熱部材４５及びＮＯｘ選択還元触媒４６を内蔵したケーシング４７を備える。各気筒１１の排気ポートは、排気マニホルド４１及び排気管４２を介して電気加熱部材４５及びＮＯｘ選択還元触媒４６に連通している。排気管４２内には、排気ガスのエネルギによって回転駆動せしめられる過給機５のタービン４３が設けられている。還元剤供給装置４４は、ケーシング４７に内蔵された電気加熱部材４５に向かって液状の還元剤を供給する。電気加熱部材４５には、電気加熱部材４５へ供給する電力を制御する電力制御装置４８が設けられる。排気マニホルド４１、排気管４２及びケーシング４７は、機関本体１０から排出された排気ガスが流通する排気通路を形成する。
【００１８】
なお、排気浄化装置４０は、電気加熱部材４５及びＮＯｘ選択還元触媒４６に加えて、三元触媒等、電気加熱部材４５及びＮＯｘ選択還元触媒４６とは異なる排気浄化装置を備えてもよい。
【００１９】
制御装置５０は、電子制御ユニット（ＥＣＵ）５１及び各種センサを備える。各種センサとしては、例えば、吸気管３２内を流れる吸気ガスの流量を検出する流量センサ５２、電気加熱部材４５の温度を検出する温度センサ５３等が挙げられ、これらセンサはＥＣＵ５１に接続される。また、各種センサには、内燃機関１の負荷を検出する負荷センサ５５、及び機関回転速度を検出するのに用いられるクランク角センサ５６も含まれ、これらセンサもＥＣＵ５１に接続される。また、ＥＣＵ５１は、内燃機関１の運転を制御する各アクチュエータに接続される。図１に示した例では、ＥＣＵ５１は、燃料噴射弁２１、燃料ポンプ２４、スロットル弁駆動アクチュエータ３７及び電力制御装置４８に接続され、これらアクチュエータを制御している。
【００２０】
≪排気浄化装置の具体的構成≫
次に、図２を参照して、本実施形態に係る排気浄化装置４０について説明する。図２は、排気浄化装置４０のケーシング４７近傍を概略的に示す断面図である。図２には、排気管４２、還元剤供給装置４４、並びに電気加熱部材４５及びＮＯｘ選択還元触媒４６を内蔵したケーシング４７が示されている。
【００２１】
還元剤供給装置４４は、ケーシング４７の上流側において排気管４２に取り付けられると共に、電気加熱部材４５に向かって液状の還元剤を供給する。これにより、還元剤供給装置４４から噴射された還元剤は、電気加熱部材４５の上流側端面に直接供給される。本実施形態では、液状の還元剤は尿素水溶液である。なお、還元剤供給装置４４は、電気加熱部材４５の上流側端面に還元剤を供給することができれば、如何なる構成であってもよく、例えば排気流れ方向（図２に矢印で示した方向）において電気加熱部材４５の上流側にてケーシング４７に取り付けられてもよい。
【００２２】
ＮＯｘ選択還元触媒４６は、排気ガス中のＮＯｘを選択的に還元する触媒であり、アンモニアを吸蔵すると共に流入する排気ガス中のＮＯｘのアンモニアとを反応させることでＮＯｘを還元、浄化する。ＮＯｘ選択還元触媒４６としては、例えば、チタニアを担体とし、この担体上に酸化バナジウムを担持した触媒Ｖ２Ｏ５／ＴｉＯ２（バナジウム・チタニア触媒）、又はゼオライトを担体とし、この担体上に銅を担持した触媒Ｃｕ／ＺＳＭ５（銅ゼオライト触媒）が用いられる。
【００２３】
このように構成さされたＮＯｘ選択還元触媒４６では、アンモニアＮＨ３を用いて、過剰酸素を含んでいる排気ガス中のＮＯｘを還元浄化する。排気ガス中のＮＯは、例えば、下記式（１）のような反応によって還元され、排気ガス中のＮＯ2は、例えば、下記式（２）のような反応によって還元される。
４ＮＨ３＋４ＮＯ＋Ｏ２→４Ｎ２＋６Ｈ２Ｏ      …（１）
８ＮＨ３＋６ＮＯ2→７Ｎ２＋１２Ｈ２Ｏ      …（２）
【００２４】
また、ＮＯｘ選択還元触媒４６は、アンモニアを吸着する吸着能力を有している。加えて、ＮＯｘ選択還元触媒４６の上流側において還元剤供給装置４４から供給された尿素水溶液は、下記式（３）のような反応により加水分解されてアンモニアが生成される。このようにして生成されたアンモニアは、ＮＯｘ選択還元触媒４６に吸着されることになる。吸着されたアンモニアは、上述したように排気ガス中のＮＯｘを還元、浄化する。
（ＮＨ2）２ＣＯ＋Ｈ2Ｏ→２ＮＨ3＋ＣＯ2      …（３）
なお、還元剤供給装置４４から尿素水溶液ではなくアンモニアが供給される場合には、アンモニアがＮＯｘ選択還元触媒４６に直接吸着される。
【００２５】
電気加熱部材４５は、排気通路内であって、排気ガスの流れ方向において、還元剤供給装置４４よりも下流側であってＮＯｘ選択還元触媒４６よりも上流側に設けられる。電気加熱部材４５は、金属等の導電体によりハニカム状に形成されたハニカム体６０を備える。具体的には、電気加熱部材４５のハニカム体６０は、複数のセル６０ａを画定する複数の隔壁６０ｂを備える。各セル６０ａは、電気加熱部材４５の軸線方向に、すなわちケーシング４７の軸線方向に（したがって、ケーシング４７内を通って流れる排気ガスの流れ方向に）、互いに平行に延びると共に、多角形の断面を有するように形成される。
【００２６】
電気加熱部材４５は、軸線方向に対して垂直な断面において中央に中心電極（図示せず）を備えると共に、電気加熱部材４５の外周を覆うように配置された筒状の外周電極（図示せず）を備える。これら中心電極及び外周電極は共に電力制御装置４８に電気的に接続される。電力制御装置４８により中心電極と外周電極との間に電圧が印加されると、電気加熱部材４５のハニカム体６０が加熱せしめられる。すなわち、電気加熱部材４５のハニカム体は、電力が供給されることにより全体が加熱される部材であるといえる。
【００２７】
図３は、ハニカム体６０の隔壁６０ｂの表面を概略的に示す断面図である。図３からわかるように、隔壁６０ｂの表面は凹凸形状を有する。したがって、隔壁６０ｂの表面には多数の凹部６１が形成されている。凹部６１は、例えば、その開口の平均径が約２０μｍであってその平均深さが約１００μｍとなるように形成される。
【００２８】
≪凹部において生じる現象≫
次に、図３〜図５を参照して、電気加熱部材４５の隔壁６０ｂの凹部６１において生じる現象について説明する。図４は、凹部６１を画定する壁面に大きな液滴が衝突したときの様子を示す概念図であり、図５は、微粒化された液滴の凹部６１内での動きを示す概念図である。
【００２９】
上述したように、電気加熱部材４５の排気流れ方向上流側には還元剤供給装置４４が設けられ、還元剤供給装置４４は、電気加熱部材４５に向かって尿素水溶液を排気ガス中に供給する。排気ガス中に供給された尿素水溶液は、液滴状に分散された状態で、電気加熱部材４５内に流入し、ハニカム体６０の各セル６０ａ内に侵入する。
【００３０】
尿素水溶液の液滴がハニカム体６０の各セル６０ａ内に侵入すると、液滴Ｄは図３に示したように隔壁６０ｂ上を通って、図４（Ａ）に示したように隔壁６０ｂの或る凹部６１を画定する壁面６２に衝突する。液滴Ｄは、凹部６１を画定する壁面６２に衝突すると、図４（Ｂ）に示したように、壁面６２上に広がるようにつぶれる。
【００３１】
ここで、ハニカム体６０が加熱されていて、隔壁６０ｂの表面温度がライデンフロスト現象の生じ始める温度（以下、「ライデンフロスト温度」という）以上の高温である場合を考える。この場合、壁面６２上に広がった液滴Ｄの壁面６２に接する部分が気化して、図４（Ｃ）に示したように、液滴Ｄと壁面６２との間に蒸気の薄い膜が形成され、液滴Ｄは壁面６２から浮き上がる。このように液滴Ｄが壁面６２から浮き上がるのに伴って、大きな液滴Ｄは図４（Ｄ）に示したように小さな多数の液滴に微粒化される。すなわち、本実施形態では、電気加熱部材４５に進入した尿素水溶液の液滴の少なくとも一部が電気加熱部材の加熱された壁面６２に衝突することによって分散される。
【００３２】
微粒化された小さな液滴は、図４（Ａ）に示した大きな液滴Ｄの壁面６２への衝突角度に応じて、壁面６２において跳ね返る。したがって、微粒化された小さな液滴は、図４（Ｄ）に矢印で示したように、全体的に凹部６１の奥に向かって衝突した壁面６２から離れる方向に進むことになる。このようにして壁面６２で微粒化されて跳ね返った液滴Ｄは、図５に示したように、凹部６１を画定する反対側の壁面に衝突する。その後、凹部６１内において、向かい合う壁面間で繰り返し跳ね返りながら凹部６１の奥へと向かって進んでいく。すなわち、本実施形態によれば、分散された液滴の少なくとも一部が凹部６１を画定する壁面に複数回繰り返し衝突する。
【００３３】
見方を変えると、本実施形態では、隔壁６０ｂの凹凸形状は、尿素水溶液の液滴の少なくとも一部が電気加熱部材の４５の加熱された壁面に衝突することによって分散されると共に、分散された液滴の少なくとも一部が凹部６１を画定する壁面に繰り返し衝突するように形成されるといえる。上述したように開口の平均径が約２０μｍであって平均深さが約１００μｍとなるように形成された凹部６１では、このように液滴が分散され且つその一部が壁面に繰り返し衝突することになる。
【００３４】
このように凹部６１内に侵入した液滴は衝突を繰り返すと共に、衝突時に微粒化されることもある。このため、液滴の凹部６１内での滞留時間が長くなると共に凹部６１内において液滴が小さくなることによって液滴が蒸発し易くなる。加えて、凹部６１内において液滴が小さくなって分散されることにより、液滴の蒸発箇所が分散され、隔壁６０ｂの一部が局所的に冷却されてしまうことが抑制される。
【００３５】
ここで、図６及び図７を参照して、凹部６１を画定する壁面の隔壁６０ｂ表面に対する角度αと、液滴の滞留時間との関係について説明する。図６は、凹部角度αを説明するための図であり、図７は、凹部角度αと、尿素水溶液がハニカム体６０を通過するのにかかる時間との関係を示す図である。
【００３６】
図６に示したように、以下の説明では、凹部６１を画定する壁面の隔壁６０ｂ表面に対する角度を凹部角度αとする。凹部角度αをこのように定義した場合、図７に示したように、凹部角度αがα1（例えば、４５°）未満だと、液滴の凹部６１内での滞留時間が短く、ハニカム体６０を通過するのにかかる時間は比較的短い。一方、凹部角度αがα1以上になると、凹部角度αが増大するのに伴ってハニカム体６０を通過するのにかかる時間が急激に長くなる。したがって、凹部角度αがα1以上であると、尿素水溶液の液滴を蒸発させやすくなることがわかる。このため、本実施形態では、凹部６１は、凹部角度αが所定の角度以上になるように形成されることが好ましい。
【００３７】
≪変形例≫
上記実施形態では、排気ガス中のＮＯｘを浄化する排気浄化触媒としてＮＯｘ選択還元触媒が用いられている。しかしながら、排気ガス中のＮＯｘを浄化することができれば、ＮＯｘ選択還元触媒以外の排気浄化触媒が用いられてもよい。斯かる排気浄化触媒としては、例えば、三元触媒、ＮＯｘ吸蔵還元触媒等が挙げられる。
【００３８】
また、上記実施形態では、還元剤として尿素水溶液が用いられている。しかしながら、ＮＯｘを還元することができれば、他の還元剤が用いられてもよい。斯かる還元剤としては、例えばアンモニアや燃料（炭化水素）等が挙げられる。
【００３９】
加えて、上記実施形態では、電気加熱部材４５は、加熱部材として機能する加熱用のハニカム体６０を備える。しかしながら、電気加熱部材４５は、加熱用のハニカム体６０と、この加熱用のハニカム体６０のハニカム構造を保持するために設けられた別の保持用ハニカム体とから形成されてもよい。この場合、保持用ハニカム体は、電力が供給されないように、したがって発熱しないように構成される。
【００４０】
＜第二実施形態＞
次に、図８〜図１０を参照して、第二実施形態に係る排気浄化装置について説明する。第二実施形態に係る排気浄化装置の構成は、基本的に第一実施形態に係る排気浄化装置の構成と同様である。以下では、第一実施形態に係る排気浄化装置とは異なる部分を中心に説明する。
【００４１】
図８は、第二実施形態に係る排気浄化装置のケーシング４７近傍を概略的に示す断面図である。図８に示したように、本実施形態の電気加熱部材４５’は、金属等の導電体によりハニカム状に形成された加熱用ハニカム体６０と、加熱用ハニカム体６０のハニカム構造を保持するために設けられた保持用ハニカム体６５とを備える。保持用ハニカム体６５は、例えば金属により形成される。保持用ハニカム体６５も、加熱用ハニカム体６０と同様に、複数のセル６５ａを画定する複数の隔壁６５ｂを備える。各セル６５ａは、電気加熱部材４５の軸線方向に、すなわちケーシング４７の軸線方向に（したがって、ケーシング４７内を通って流れる排気ガスの流れ方向に）、互いに平行に延びると共に、多角形の断面を有するように形成される。特に、保持用ハニカム体６５は、加熱用ハニカム体６０と同一のハニカム構造（すなわち、セルや隔壁の大きさ及び位置が同一）を有する。
【００４２】
図８に示したように、保持用ハニカム体６５は、加熱用ハニカム体６０よりも排気流れ方向において下流側に配置される。保持用ハニカム体６５の一部の隔壁６５ｂは、加熱用ハニカム体６０の対応する一部の隔壁６０ｂと保持部材６６により連結される。この保持部材６６を介して、加熱用ハニカム体６０のハニカム構造が保持用ハニカム体６５によって保持される。
【００４３】
本実施形態では、加熱用ハニカム体６０の隔壁６０ｂの表面は凹凸形状を有さずに、平坦に形成される。一方、保持用ハニカム体６５の隔壁６５ｂの表面は、図３に示した第一実施形態のハニカム体６０の隔壁６０ｂと同様に、凹凸形状を有する。したがって、保持用ハニカム体６５の隔壁６５ｂには多数の凹部６７が形成されている。
【００４４】
このように構成された電気加熱部材４５’では、図９に示したように、加熱用ハニカム体６０の隔壁６０ｂの表面において、ライデンフロスト現象により尿素水溶液の液滴が多数の小さな液滴に微粒化される。図９は、加熱用ハニカム体６０の平坦な隔壁６０ｂの表面に大きな液滴が衝突したときの様子を示す概念図である。
【００４５】
尿素水溶液の液滴が加熱用ハニカム体６０の各セル６０ａ内に侵入すると、液滴Ｄは図９（Ａ）に示したように隔壁６０ｂの表面に衝突する。液滴Ｄは、隔壁６０ｂの表面に衝突すると、図９（Ｂ）に示したように、隔壁６０ｂの表面上に広がるようにつぶれる。
【００４６】
ここで、加熱用ハニカム体６０が加熱されていて隔壁６０ｂの表面温度がライデンフロスト温度以上に加熱されている場合、液滴Ｄの隔壁６０ｂに接する部分が気化する。この結果、図９（Ｃ）に示したように、液滴Ｄと隔壁６０ｂの表面との間に蒸気の薄い膜が形成され、液滴Ｄは隔壁６０ｂの表面から浮き上がる。これに伴って、大きな液滴Ｄは図９（Ｄ）に示したように小さな多数の液滴に微粒化される。
【００４７】
加熱用ハニカム体６０で微粒化された液滴は、その後、保持用ハニカム体６５内に侵入する。保持用ハニカム体６５の隔壁６５ｂの表面は凹凸形状を有する。このため、微粒化された液滴は、図１０に示したように、隔壁６５ｂに形成された凹部６７内に侵入する。
【００４８】
このように凹部６７内に侵入した小さな液滴Ｄは、凹部６７を画定する壁面６８に衝突して跳ね返る。このようにして跳ね返った液滴は、壁面６８への衝突角度に応じて、凹部６７の奥に向かって衝突した壁面６８から離れる方向に進み、やがて凹部６７を画定する反対側の壁面６８に衝突する。その後、凹部６７内において、向かい合う壁面６８間で繰り返し跳ね返りながら凹部６７の奥へと向かって進んでいく。
【００４９】
保持用ハニカム体６５も保持部材６６を介して加熱用ハニカム体６０から熱を受けることから、或る程度高い温度になる。したがって、液滴が凹部６７内で衝突を繰り返して凹部６７内での滞留時間が長くなることにより、液滴が蒸発し易くなる。
【符号の説明】
【００５０】
１    内燃機関
１０    機関本体
２０    燃料供給装置
３０    吸気系
４０    排気浄化装置
４４    還元剤供給装置
４５    電気加熱部材
４６    ＮＯｘ選択還元触媒
４８    電力制御装置
５０    制御装置
６０    ハニカム体
６０ａ    セル
６０ｂ    隔壁
６１    凹部
６２    壁面
【図１】
2020029777.tif 000003
【図２】
2020029777.tif 000004
【図３】
2020029777.tif 000005
【図４】
2020029777.tif 000006
【図５】
2020029777.tif 000007
【図６】
2020029777.tif 000008
【図７】
2020029777.tif 000009
【図８】
2020029777.tif 000010
【図９】
2020029777.tif 000011
【図１０】
2020029777.tif 000012